(57)【要約】【課題】  簡単な構成をもつためユーザが容易に把持できることから容易く掃除することができ、なお且つ、別の取っ手部を用いることなく、軽量の取っ手形状の空気流路を有する真空掃除機のハンドル管及びこれを備える真空掃除機を提供することにある。【解決手段】  本発明による真空掃除機は、外部の塵埃を含んだ空気を吸入できるブラシと、該ブラシに吸入力を提供する掃除機本体を含む真空掃除機において、前記ブラシと前記掃除機本体との間に介在されて空気流動自在に連通させ、所定の区間がユーザの把持用取っ手部から形成されたハンドル管とを含んでなる。【選択図】      図２
2004344641.tif 000002
【特許請求の範囲】
【請求項１】
外部の塵埃を含んだ空気を吸入するブラシと、該ブラシに吸入力を提供する掃除機本体とを含む真空掃除機において、
前記ブラシと前記掃除機本体との間に介在されて空気流動可能に連通させ、所定の区間がユーザの把持用取っ手部から形成されたハンドル管を含んでなる真空掃除機。
【請求項２】
前記取っ手部は、
前記ブラシに結合される先端と、前記掃除機本体に結合される背端との間を二重折曲させて形成されることを特徴とする請求項１に記載の真空掃除機。
【請求項３】
前記取っ手部の外面には、刻み付け部が形成されていることを特徴とする請求項１または請求項２に記載の真空掃除機。
【請求項４】
前記ハンドル管に設けられたサイクロン集塵装置をさらに含むことを特徴とする請求項１に記載の真空掃除機。
【請求項５】
前記サイクロン集塵装置は、
前記ハンドル管の内部を流動する空気をバイパスさせ塵埃を遠心分離させた後、排出させるサイクロンボディと、
前記サイクロンボディに着脱自在に結合され、遠心分離された塵埃を集塵するダストカップとを含んでなることを特徴とする請求項４に記載の真空掃除機。
【請求項６】
前記サイクロンボディは、
前記ハンドル管に吸込まれる前記塵埃の含まれた空気をバイパスさせ吸入させる吸入ポートと、
前記塵埃が遠心分離された空気を排出させる排出ポートと、
前記排出ポートに結合されたゴミ分離用グリルとを含んでなることを特徴とする請求項５に記載の真空掃除機。
【請求項７】
外部の塵埃を含んだ空気を吸入できるブラシと、該ブラシに吸入力を提供する掃除機本体との間に設けられる真空掃除機のハンドル管において、
前記ブラシと前記掃除機本体をお互い連通させる空気流路がユーが把持できる取っ手部から形成されていることを特徴とする真空掃除機のハンドル管。
【請求項８】
前記取っ手部に設けられたサイクロン集塵装置をさらに含むことを特徴とする請求項７に記載の真空掃除機のハンドル管。
【発明の詳細な説明】
【技術分野】
【０００１】
本発明は、ハンドル管及びこれを備える真空掃除機に関し、さらに詳しくはサイクロン集塵装置を備えたハンドル管及びこれを備えた真空掃除機に関する。
【背景技術】
【０００２】
一般に真空掃除機は、モータの回転により空気を強制循環させることによって掃除機本体の内部を真空状態にし、この際に掃除機本体の内部と外部との間に生じる圧力差によって強い風量で被掃除面にある塵埃とゴミを吸込まれる空気と共に吸入する機器である。
【０００３】
さらにサイクロン集塵装置は、遠心力を用いて流体内の粒子を分離させる装置であり、その構造は単純で高温・高圧に強いということで昔から産業現場で幅広く使われ、真空掃除機においても用いられている。
【０００４】
かかるサイクロン集塵装置を備える真空掃除機の代表的な例として、大韓民国特許出願第１９９９-２０７０４号（名称：真空掃除機のサイクロン集塵装置）がある。
【０００５】
図１は、本出願人により既出願され、大韓民国特許出願第１９９９-２０７０４号に記載されているサイクロン集塵装置を有する真空掃除機の斜視図である。従来のサイクロン集塵装置を有する真空掃除機１は、大きく掃除機本体３と、掃除機本体３に繋がるフレキシブルホース９と、延長管８と、フレキシブルホース９と延長管８との間に繋がるハンドル管７と、ハンドル管７と延長管８との間に結合されたサイクロン集塵装置２１とを含む。
【０００６】
掃除機本体３は、掃除機本体３の内部に備えられているダストバッグ（図示せず）が収容される集塵室（図示せず）と、前記集塵室内に外部の塵埃を含んだ空気を吸入させる吸入モータ（図示せず）が格納された負荷駆動室（図示せず）から区分される。
【０００７】
延長管８の先端部にブラシ１０が結合され、ブラシ１０は被掃除面の床やカーペットなどと接触し、ブラシ１０の底面には吸気口が形成される。
【０００８】
サイクロン集塵装置２１は、ハンドル７と延長管８との間に結合され空気中に含まれた塵埃などのゴミを遠心力を用いて分離させる。
【０００９】
ハンドル７は、ユーザがハンドル７を容易に把持できるよう一側面にフレキシブルホース９の取っ手部が形成される。
【００１０】
かかる構成によれば、電源が印加されれば、吸入モータの駆動による吸入力でブラシ１０の吸入口を介して塵埃などのゴミが含まれた空気が吸入される。それから延長管８に沿って流動しサイクロン集塵装置２１の内部に吸込まれる。
【００１１】
この際、サイクロン集塵装置２１内に吸込まれる空気は、渦巻き気流を形成しながら降下しつつ、空気中に含まれた粒子のサイズが大きいゴミや塵埃が遠心力によって空気から分離される。分離されたゴミなどはダストカップ２５の内壁面に沿って降下し下部で収集される。
【００１２】
前記浄化された空気は、ハンドル管７と、ハンドル管７及び掃除機本体３との間に連結されたフレキシブルホース９に沿って移動し前記掃除機本体に吸込まれる。
【００１３】
その後、掃除機本体３の集塵室（図示せず）で行われる塵埃の収集過程は一般的な真空掃除機１の塵埃収集過程と同じである。
【００１４】
ところが、かかる従来の真空掃除機にては、前記ハンドル管に取っ手部を別に備えなければならず、特にサイクロン集塵装置を備える場合は、ハンドル管の荷重がサイクロン集塵装置に向かって不均一に集中されているため前記ハンドル管を含んだ真空掃除機を円滑に動かし難い。
【００１５】
さらに、かかる従来の掃除機において、掃除機本体の吸入駆動力がブラシと該ブラシに連結された延長管と、サイクロン集塵装置と、サイクロン集塵装置に連結されたハンドル管と、前記ハンドル及び掃除機本体との間に連結されたフレキシブルホースとを含む長い伝達経路であるため一定部分消尽されると共に前記サイクロン集塵装置の集塵性能が劣るという問題があった。
【発明の開示】
【発明が解決しようとする課題】
【００１６】
本発明は前述した従来の問題点を解決するために案出されたもので、簡単な構成でユーザが容易に把持して容易く掃除できる真空掃除機のハンドル管及びこれを備える真空掃除機を提供することにある。
【００１７】
本発明の他の目的は、取っ手状の空気流路を有するため別の取っ手部が不要になり、軽量の掃除機のハンドル管及びこれを備える真空掃除機を提供することにある。
【００１８】
本発明のさらに他の目的は、サイクロン集塵装置を備える取っ手形状の空気流路を有する真空掃除機のハンドル管及びこれを備える真空掃除機を提供することにある。
【課題を解決するための手段】
【００１９】
前述した目的は、本発明によれば外部の塵埃を含んだ空気を吸入するブラシと、該ブラシに吸入力を提供する掃除機本体とを含む真空掃除機において、前記ブラシと前記掃除機本体との間に介在されて空気流動可能に連通させ、所定の区間がユーザの把持用取っ手部から形成されたハンドル管を含んでなる真空掃除機を提供することにより達成される。
【００２０】
さらに、前記取っ手部は、前記ブラシに結合される先端と、前記掃除機本体に結合される背端との間を二重折曲させて形成されることが好ましく、前記取っ手部の外面には、刻み付け部が形成されていることが好ましい。
【００２１】
また、前記真空掃除機は、前記ハンドル管に設けられたサイクロン集塵装置をさらに含むことができる。
【００２２】
そして、前記サイクロン集塵装置は、前記ハンドル管の内部に流動する空気をバイパスさせ塵埃を遠心分離させた後、空気を排出させるサイクロンボディと、前記サイクロンボディに着脱自在に結合され、遠心分離された塵埃を集塵するダストカップとを含んでなることが好ましい。
【００２３】
また、前記サイクロンボディは、前記ハンドル管に吸込まれる前記塵埃が含まれた空気をバイパスさせ吸入させる吸入ポートと、前記塵埃が遠心分離された空気を排出させる排出ポートと、前記排出ポートに結合されたゴミ分離用グリルとを含んでなることが好ましい。
【００２４】
本発明の目的は、外部の塵埃を含んだ空気を吸入できるブラシと、該ブラシに吸入力を提供する掃除機本体との間に設けられる真空掃除機のハンドル管において、前記ブラシと前記掃除機本体を互いに連通させる空気流路がユーザの把持が可能な取っ手部から形成されていることを特徴とする真空掃除機のハンドル管を提供することにより達成される。
【００２５】
そして、真空掃除機のハンドル管は、前記取っ手部に設けられたサイクロン集塵装置をさらに含むことが好ましい。
【発明の効果】
【００２６】
以上述べた通り、本発明に係わるハンドル管及びハンドル管を備えた真空掃除機によれば、前記ハンドル管に別の取っ手部分が不要になり、ユーザはシンプルで軽量化されたハンドル管を使うことによって便利に真空掃除機を用いることができる。
【００２７】
さらに、掃除機本体の吸入モータの吸入駆動力が伝達される過程の経路が縮むことにより真空掃除機の集塵性能が向上される。
【発明を実施するための最良の形態】
【００２８】
以下、添付した図面に基づき本発明の好ましい実施形態を具体的に説明する。この際、詳述した同一構成及び名称については同一な参照番号を付する。
【００２９】
図２は本発明に係る真空掃除機のハンドル管であって、サイクロン集塵装置を備えたハンドル管の側面図を示す。同図において、本発明に係るハンドル管の流路が取っ手形状になるよう、また別の取っ手部を用いる必要がないようその構造が改善されると共に軽量された真空掃除機のハンドル管を示す。
【００３０】
サイクロン集塵装置が設けられたハンドル管を有する真空掃除機は、大きくブラシ１０と、掃除機本体３と、ブラシ１０と掃除機本体３とを連結するフレキシブルホース９と、フレキシブルホース９とブラシ１０との間に設けられているハンドル管７と、一端はブラシ１０に連結され、他端はハンドル管７との間に連結された延長管８とを含む。但し、掃除機本体３と、フレキシブルホース９と、延長管８と、ブラシ１０は図１にての掃除機本体と、フレキシブルホースと、延長管と、ブラシと同一であるため図２では図示しないことにする。
【００３１】
掃除機本体３は、掃除機本体３の内部に備えられ、ダストバッグ（図示せず）が収容される集塵室（図示せず）及び、該集塵室内に外部の塵埃を含んだ空気を吸入させる吸入モータ（図示せず）が格納された負荷駆動室（図示せず）から区分される。
【００３２】
延長管８の先端部にブラシ１０が結合され、ブラシ１０は被掃除面の床やカーペットなどと接触し、ブラシ１０の底面には吸気口が形成される。
【００３３】
ハンドル管７の所定区間は、ユーザの把持用取っ手部６０が形成されるのでユーザがハンドル管７を握り易くなる。
【００３４】
以下、図３を参照してサイクロン集塵装置が設けられたハンドル管について説明する。図３は、図２のサイクロン集塵装置の定着構造を示した断面図である。但し、参照符号Iは前記ハンドル管の前方を示す。
【００３５】
ハンドル管７は、大きくハンドル管７に設けられたサイクロン集塵装置２１と、ハンドル管ボディ３０とを含む。
【００３６】
ハンドル管ボディ３０は、第１の流路管３９と第２の流路管４１とを含み、第１の流路管３９と第２の流路管４１は、ハンドル管ボディ３０の遮断壁５３を基準に下部は第１の流路管３９となり、上部は第２の流路管４１となる。
【００３７】
第１の流路管３９には、ブラシ１０と連通する吸気口３５がハンドル管７の前方に設けられ、サイクロン集塵装置２１の一側面と繋がる吸入ポートが後方に設けられる。
【００３８】
第２の流路管４１には、フレキシブルホース９と連通する排気口４７がハンドル管７の後方に設けられ、サイクロン集塵装置２１と繋がる排出ポート４３が前方に設けられる。
【００３９】
第２の流路管４１は、二重折曲の構造で形成され、全体的にハンドル管７の下部に取っ手空間６５が設けられてユーザが容易にハンドル管７をつかむことができる。
【００４０】
また、第２の流路管４１は、サイクロン集塵装置２１のダストカップ２５がサイクロンボディ５５で着脱自在になるようダストカップ２５の後方に離隔されて設けられる。つまり、ダストカップ２５から後方への離隔距離（ｄ）はダストカップ２５がハンドル管７から容易に着脱できるよう一定間隔維持される（図２参照）。
【００４１】
取っ手部６０には、ユーザがハンドル管７をつかむ際にすべらないよう、取っ手部６０の外面に刻み付け部が形成されたり、一部にしわを形成したり屈曲の形状をもつ場合もあり、当業者の立場からはかかるハンドル管７の取っ手部形状は多様に変更され得る。
【００４２】
サイクロン集塵装置２１は、サイクロンボディ５５と、サイクロンボディ５５に着脱自在に結合されるダストカップ２５とを含む。
【００４３】
サイクロンボディ５５は、ハンドル管７へ吸込まれる塵埃が含まれた空気をバイパスさせて吸入させる吸入ポート３７と、前記塵埃が遠心分離された空気を排出させる排出ポート４３と、排出ポート４３に結合され多数の微細通過孔４４が形成されるゴミ分離用グリル７０とを含む。
【００４４】
好ましくは、サイクロンボディ５５の形状はダストカップ２５の形状と対応される円筒状であることが好ましい。
【００４５】
ゴミ分離用グリル７０は、円筒状であり、円周面には多数の微細通過孔４４が形成されており、一側面には開口４５が設けられている。開口４５は、微細通過孔４４を介してゴミ分離用グリル７０内に吸込まれる空気を排出させる役割を果たす。
【００４６】
さらに、ゴミ分離用グリル７０の他側には、ダストカップ２５の底面に向かって上向き突出された逆流防止部材５０が設けられる。
【００４７】
かかる構成をもつハンドル管を備えた真空掃除機に電源が印加されれば、吸入モータの駆動による吸入力を用いて、ブラシ１０の吸気口を介して塵埃などの汚物が含まれた空気を吸込む。それから、ブラシ１０と連結された延長管８を介してサイクロン集塵装置２１の内部へ吸込まれる。
【００４８】
この際、サイクロン集塵装置２１内に吸込まれる空気は、サイクロンボディ５５に形成された吸入ポート３７を介してサイクロン集塵装置２１内へ斜線方向に吸込まれる。これによって、塵埃などのゴミを含んだ空気は、渦巻き気流を形成しつつサイクロン集塵装置２１の下部に降下し始める。
【００４９】
このような過程の中で、空気中に含まれた粒子のサイズが大きな塵埃やゴミは遠心力によって空気から分離される。分離されたゴミは、サイクロン集塵装置２１のダストカップ２５の内壁面に沿って降下し下部で収集される。その後、掃除機本体３の集塵室（図示せず）から行われる塵埃の収集過程は一般の真空掃除機１の塵埃収集過程と同じである。
【００５０】
尚、前述した実施形態によるサイクロン集塵装置が設けられたハンドル管及びこれを備える真空掃除機について説明したが、本発明はサイクロン集塵装置を含まない取っ手部のみを有するハンドル管及びこれを備える真空掃除機に変更実施できることは勿論である。
【００５１】
以上、本発明を本発明の原理を例示するための望ましい実施例について示しかつ説明したが、本発明はそのように示しかつ説明されたそのままの構成及び作用に限られない。かえって特許請求の範囲の思想及び範疇を逸脱せず本発明に対する多数の変更及び修正が可能であることを当業者ならば良く理解できる。従って、そのような全ての適切な変更及び修正と均等物も本発明の範囲に属すると見做されるべきである。
【図面の簡単な説明】
【００５２】
【図１】従来技術に係るサイクロン集塵装置を有する真空掃除機である。
【図２】本発明に係るハンドル管及びこれを備えた真空掃除機であって、サイクロン集塵装置を備えたハンドル管の側面図である。
【図３】図２のハンドル管の断面図である。
【符号の説明】
【００５３】
１    真空掃除機
３    真空掃除機本体
７    ハンドル管
８    延長管
９    フレキシブルホース
１０  ブラシ
２１  サイクロン集塵装置
２５  ダストカップ
３０  ハンドル管ボディ
３５  吸気口
３７  吸入ポート
３９  第１の流路管
４１  第２の流路管
４３  排出ポート
４４  微細通過孔
４５  開口
４７  排気口
５０  逆流防止部材
５３  遮断壁
５５  サイクロンボディ
６０  取っ手部
６５  取っ手空間
【図１】
2004344641.tif 000003
【図２】
2004344641.tif 000004
【図３】
2004344641.tif 000005